(57)【要約】      （修正有）【課題】小型であって記録紙が設置しやすい構造のプリンタ装置を提供する。【解決手段】プリンタ本体部１０と、蓋部２０とを有するプリンタ装置において、蓋部は、蓋本体部２１とブロック部３１とを有しており、プリンタ本体部及びブロック部のうちのいずれか一方には、サーマルヘッド３１が取り付けられており、他方にはプラテンローラ１１が取り付けられてある。ブロック部と蓋本体部とは、第１の回転軸部において接続されており、第１の回転軸部においては、第１の回転軸を中心にブロック部が回転するものであって、プリンタ本体部と蓋部とは、接続部における第２の回転軸部において接続されており、第２の回転軸部においては、第２の回転軸を中心に蓋部が回転するものであって、第１の回転軸は、サーマルヘッドの長手方向に平行であり、第２の回転軸は、第１の回転軸と直交する。【選択図】図７
2014043083.tif 000002
【特許請求の範囲】
【請求項１】
プリンタ本体部と、蓋部とを有するプリンタ装置において、
前記プリンタ本体部と前記蓋部とは、前記プリンタ本体部及び前記蓋部の側面の一方の側に設けられた接続部において接続されており、
前記蓋部は、蓋本体部とブロック部とを有しており、
前記プリンタ本体部及び前記ブロック部のうちのいずれか一方には、サーマルヘッドが取り付けられており、他方にはプラテンローラが取り付けられており、
前記ブロック部と蓋本体部とは、第１の回転軸部において接続されており、前記第１の回転軸部においては、第１の回転軸を中心に前記ブロック部が回転するものであって、
前記プリンタ本体部と前記蓋部とは、前記接続部における第２の回転軸部において接続されており、前記第２の回転軸部においては、第２の回転軸を中心に前記蓋部が回転するものであって、
前記第１の回転軸は、前記サーマルヘッドの長手方向に平行であり、前記第２の回転軸は、前記第１の回転軸と直交するものであることを特徴とするプリンタ装置。
【請求項２】
前記ブロック部には、サーマルヘッドが設置されていることを特徴とする請求項１に記載のプリンタ装置。
【請求項３】
前記プリンタ本体部及び前記蓋部の側面の他方の側に設けられた爪部により、前記プリンタ本体部と前記蓋部とが固定されるものであることを特徴とする請求項１または２に記載のプリンタ装置。
【請求項４】
前記蓋部を開く際には、前記第１の回転軸部において前記ブロック部を前記第１の回転軸を中心に、前記サーマルヘッドと前記プラテンローラとが離れる方向に回転させた後、前記第２の回転軸部において前記蓋部を前記第２の回転軸を中心に、前記蓋部が開く方向に回転させるものであることを特徴とする請求項１から３のいずれかに記載のプリンタ装置。
【請求項５】
前記第１の回転軸部において、前記第１の回転軸を中心に前記ブロック部を回転させることにより、前記サーマルヘッドと前記プラテンローラとが接触している状態から、前記サーマルヘッドと前記プラテンローラとが離れている状態にすることができるものであることを特徴とする請求項１から４のいずれかに記載のプリンタ装置。
【発明の詳細な説明】
【技術分野】
【０００１】
本発明は、プリンタ装置に関する。
【背景技術】
【０００２】
レシート等を発行するプリンタ装置は、商店等のレジスタ、銀行等におけるＡＴＭ（Automated Teller Machine）やＣＤ（Cash dispenser）等の用途に幅広く用いられている。このようなレシート等を発行するプリンタは、記録紙となる感熱紙がロール状に巻かれており、記録紙を搬送しながらサーマルヘッド等により記録紙に印字等を行ない、所定の長さまで記録紙を搬送した後、カッターで所定の長さで記録紙を切断するものである。
【０００３】
このようなプリンタ装置は、プリンタ本体部と、プリンタ本体部に接続された蓋部等を有しており、例えば、プリンタ本体部に、サーマルヘッドまたはプラテンローラの一方が取り付けられており、蓋部等には、サーマルヘッドまたはプラテンローラの他方が取り付けられている。この構造のプリンタ装置において、記録紙を設置する際には、プリンタ本体部と蓋部等との間を開き、開いた空間より記録紙を挿入することにより記録紙を設置する。
【０００４】
このようなプリンタ装置について、図１に基づきより詳細に説明する。図１に示されるプリンタ装置は、プリンタ本体部９１０と蓋部に相当するヘッドユニット９２０とを有しており、プリンタ本体部９１０とヘッドユニット９２０とが、プリンタ本体部９１０及びヘッドユニット９２０の双方の側面近傍に設けられた２つのアーム９３０により接続されている。このプリンタ装置には、プリンタ本体部９１０にプラテンローラ９１１が設置されており、ヘッドユニット９２０には不図示のサーマルヘッドが設置されている。
【０００５】
このプリンタ装置において記録紙を設置する際には、図１（ａ）に示されるように、サーマルヘッドにより記録紙に印字が可能な状態、即ち、プリンタ本体部９１０と蓋部９２０とが直接接続されて一体となっている状態から、図１（ｂ）に示されるように、プリンタ本体部９１０からヘッドユニット９２０を上に持ち上げ、プリンタ本体部９１０とヘッドユニット９２０とが離れた状態にする。このように、プリンタ本体部９１０とヘッドユニット９２０とが離れることにより、プリンタ本体部９１０とヘッドユニット９２０との間に空間９４０が生じ、このように生じた空間９４０に、矢印１Ａに示されるように不図示の記録紙を通すことにより、プリンタ装置に記録紙が設置される。
【先行技術文献】
【特許文献】
【０００６】
【特許文献１】特開平１１−１２９５７１号公報
【特許文献２】特開平１１−１５７１０７号公報
【特許文献３】特開２００１−１５８５４７号公報
【発明の概要】
【発明が解決しようとする課題】
【０００７】
ところで、図１に示される構造のプリンタ装置では、プリンタ本体部９１０からヘッドユニット９２０が持ち上げられ、これによりプリンタ本体部９１０とヘッドユニット９２０との間に生じた空間９４０に、記録紙を通すことにより記録紙が設置される。従って、ヘッドユニット９２０等が記録紙を通す際に作業の邪魔となり、プリンタ装置に記録紙を設置するための時間や手間を要していた。尚、プリンタ本体部９１０からヘッドユニット９２０をより高く持ち上げ、空間９４０を広くすることにより、作業の時間を短縮すること等は可能ではあるが、この場合には、アーム９３０が大型のものが必要となるため、小型化には不向きであり、また、強度等の点においても問題となる。
【０００８】
本発明は、上記に鑑みてなされたものであり、小型であって記録紙が設置しやすい構造のプリンタ装置を提供することを目的とするものである。
【課題を解決するための手段】
【０００９】
本発明における一観点によれば、プリンタ本体部と、蓋部とを有するプリンタ装置において、前記プリンタ本体部と前記蓋部とは、前記プリンタ本体部及び前記蓋部の側面の一方の側に設けられた接続部において接続されており、前記蓋部は、蓋本体部とブロック部とを有しており、前記プリンタ本体部及び前記ブロック部のうちのいずれか一方には、サーマルヘッドが取り付けられており、他方にはプラテンローラが取り付けられており、前記ブロック部と蓋本体部とは、第１の回転軸部において接続されており、前記第１の回転軸部においては、第１の回転軸を中心に前記ブロック部が回転するものであって、前記プリンタ本体部と前記蓋部とは、前記接続部における第２の回転軸部において接続されており、前記第２の回転軸部においては、第２の回転軸を中心に前記蓋部が回転するものであって、前記第１の回転軸は、前記サーマルヘッドの長手方向に平行であり、前記第２の回転軸は、前記第１の回転軸と直交するものであることを特徴とする。
【発明の効果】
【００１０】
本発明によれば、小型であって記録紙が設置しやすい構造のプリンタ装置を提供することができる。
【図面の簡単な説明】
【００１１】
【図１】従来のプリンタ装置の説明図
【図２】本実施の形態におけるプリンタ装置において蓋部が閉じられた状態の斜視図
【図３】本実施の形態におけるプリンタ装置において蓋部が閉じられた状態の断面図
【図４】第１の回転軸部の説明図
【図５】第２の回転軸部の説明図
【図６】本実施の形態におけるプリンタ装置において蓋部を開く際の説明図
【図７】本実施の形態におけるプリンタ装置において蓋部が開いた状態の斜視図
【発明を実施するための形態】
【００１２】
本発明を実施するための形態について、以下に説明する。尚、同じ部材等については、同一の符号を付して説明を省略する。
【００１３】
本実施の形態におけるプリンタ装置について、図２及び図３に基づき説明する。本実施の形態におけるプリンタ装置は、プリンタ本体部１０と蓋部２０とを有しており、蓋部２０は、蓋本体部２１とヘッドブロック３０とを有している。尚、本願においては、ヘッドブロック３０をブロック部と記載する場合がある。
【００１４】
プリンタ本体部１０と蓋部２０とは、プリンタ本体部１０及び蓋部２０の側面の一方の側に設けられた接続部４０において接続されており、プリンタ本体部１０及び蓋部２０の側面の他方の側には、プリンタ本体部１０と蓋部２０とを固定するためのロック部４１が設けられている。本実施の形態におけるプリンタ装置には、図３に示されるように、ヘッドブロック３０にサーマルヘッド３１が取り付けられており、プリンタ本体部１０にプラテンローラ１１が取り付けられている。また、記録紙１００は、矢印２Ａから矢印２Ｂに示す方向に送られる。尚、本実施の形態においては、プラテンローラ１１及びサーマルヘッド３１に沿った方向、即ち、プラテンローラ１１及びサーマルヘッド３１の長手方向をＸ軸方向とする。
【００１５】
図２及び図３は、本実施の形態におけるプリンタ装置において、蓋部２０が閉じられている状態、即ち、プリンタ本体部１０とヘッドブロック３０とが直接接続されて一体となっており、サーマルヘッド３１により記録紙１００に印字可能な状態を示している。図２（ａ）は、この状態における本実施の形態におけるプリンタ装置の正面方向からみた斜視図であり、図２（ｂ）は、プリンタ装置の背面方向からみた斜視図である。また、図３は、この状態における本実施の形態におけるプリンタ装置の断面図である。
【００１６】
図４に示されるように、ヘッドブロック３０と蓋本体部２１における蓋部内部部材２１ａとは、ヘッドブロック３０が第１の回転軸部５１において第１の回転軸を中心に回転可能な状態で接続されている。尚、本実施の形態においては、第１の回転軸はＸ軸であるものとする。また、図４は、説明の便宜上、蓋本体部２１におけるカバー等が取り除かれている状態を示している。
【００１７】
また、図５に示されるように、プリンタ本体部１０と蓋部２０とは、蓋部２０が第２の回転軸部５２において第２の回転軸を中心に回転可能な状態で接続されている。尚、本実施の形態においては、第２の回転軸はＹ軸であるものとする。また、Ｘ軸、Ｙ軸、Ｚ軸は相互に直交するものとする。
【００１８】
次に、図６及び図７に基づき、本実施の形態におけるプリンタ装置において、蓋部２０を開く操作について説明する。
【００１９】
最初に、図２及び図３に示される閉じられた状態から、図６に示されるように、ヘッドレバー４２を矢印６Ａに示す方向に動かすことにより、ヘッドブロック３０を第１の回転軸部５１においてＸ軸を中心に回転させて、上方向となる＋Ｚ軸方向に持ち上げる。この方向は、プラテンローラ１１とサーマルヘッド３１とが離れる方向であり、これにより、接触していたプラテンローラ１１とサーマルヘッド３１とが離れる。尚、図６（ａ）は、この状態の斜視図であり、図６（ｂ）は、この状態において、蓋本体部２１におけるカバー等が取り除かれている状態を示す斜視図である。
【００２０】
次に、プリンタ本体部１０と蓋部２０とをプリンタ本体部１０及び蓋部２０の側面の他方の側に設けられているプリンタ本体部１０と蓋部２０とを固定しているロック部４１におけるロックを外し、ロック部４１が設けられている蓋部２０の側面の他方の側が上になるように、＋Ｚ軸方向に持ち上げる。これにより、図７に示されるように、蓋部２０は、プリンタ本体部１０及び蓋部２０の側面の一方の側の近傍に設けられた第２の回転軸部５２においてＹ軸を中心に回転し、蓋部２０の側面の他方の側が上になるように蓋部２０が開かれる。尚、図７は、本実施の形態におけるプリンタ装置において、蓋部２０が開いている状態、即ち、記録紙を設置することが可能な状態を示している。図７（ａ）は、この状態における本実施の形態におけるプリンタ装置の正面方向からの斜視図であり、図７（ｂ）は、プリンタ装置の背面方向からの斜視図である。
【００２１】
本実施の形態におけるプリンタ装置では、図７に示されるように蓋部２０が開いている状態では、プリンタ本体部１０におけるプラテンローラ１１が取り付けられている側の直上には、蓋部２０が存在していない。従って、記録紙の設置を容易に行うことができる。特に、蓋部２０にサーマルヘッド３１が取り付けられているヘッドブロック３０を有している場合においては、サーマルヘッド３１は、プラテンローラ１１に比べて大きいため、ヘッドブロック３０が大きくなることから、記録紙を取り付ける際に邪魔になりやすい。しかしながら、本実施の形態におけるプリンタ装置においては、第１の回転軸部５１において第１の回転軸を中心にヘッドブロック３０を回転させ、更に、第２の回転軸部５２において第２の回転軸を中心に蓋部２０を回転させる構造のものであるため、プリンタ本体部１０におけるプラテンローラ１１が取り付けられている側の直上には、ヘッドブロック３０が存在していない状態となる。これにより、プリンタ装置への記録紙の設置を容易に行うことができる。
【００２２】
尚、本実施の形態におけるプリンタ装置は、蓋部２０にプラテンローラ１１が取り付けられており、プリンタ本体部１０にサーマルヘッド３１が取り付けられている構造のプリンタ装置にも適用することが可能である。この場合、蓋部２０には、ヘッドブロック３０に代えて、プラテンローラ１１が取り付けられているブロック部が接続される。
【００２３】
このように、本実施の形態におけるプリンタ装置においては、図７に示される状態にした後、不図示の記録紙を設置する。この後、蓋部２０の側面の一方の側の近傍に設けられた第２の回転軸部５２を中心に蓋部２０を閉じる回転させ、プリンタ本体部１０と蓋部２０とを接触させた後、プリンタ本体部１０及び蓋部２０の側面の他方の側に設けられているロック部４１により固定する。この後、ヘッドブロック３０を第１の回転軸部５１を中心に−Ｚ方向に回転させることにより、記録紙を介しサーマルヘッド３１とプラテンローラ１１とを接触させる。これにより、本実施の形態におけるプリンタ装置に、記録紙が設置される。
【００２４】
尚、本実施の形態とは異なり、例えば、第２の回転軸部５２を中心に蓋部２０を回転させるだけで、記録紙を介しプラテンローラ１１とサーマルヘッド３１を接触させる構造のプリンタ装置においては、サーマルヘッド３１及びプラテンローラ１１における端部の一方の側と他方の側とにおいて、サーマルヘッド３１とプラテンローラ１１とが接触する際の圧力に違いが生じる場合がある。この場合に、サーマルヘッド３１により記録紙に印字を行う際に、記録紙の一方の側と他方の側で印字の品位等が不均一になる。例えば、記録紙の一方の側または他方の側において、文字がかすれてしまう場合等がある。
【００２５】
しかしながら、本実施の形態におけるプリンタ装置においては、第２の回転軸部５２を中心に蓋部２０を回転させた後、第１の回転軸部５１を中心にヘッドブロック３０を回転させる構造のものであるため、サーマルヘッド３１及びプラテンローラ１１における一方の側と他方の側において、サーマルヘッド３１とプラテンローラ１１とが接触する際の圧力を均一にすることができる。これによりサーマルヘッド３１による記録紙への印字を均一に行うことができ、サーマルヘッド３１による記録紙への印字の品位の低下を防ぐことができる。
【００２６】
以上、本発明の実施に係る形態について説明したが、上記内容は、発明の内容を限定するものではない。
【符号の説明】
【００２７】
１０        プリンタ本体部
１１        プラテンローラ
２０        蓋部
２１        蓋本体部
２１ａ      蓋部内部部材
３０        ヘッドブロック
３１        サーマルヘッド
４０        接続部
４１        ロック部
４２        ヘッドレバー
５１        第１の回転軸部
５２        第２の回転軸部
１００      記録紙
【図１】
2014043083.tif 000003
【図２】
2014043083.tif 000004
【図３】
2014043083.tif 000005
【図４】
2014043083.tif 000006
【図５】
2014043083.tif 000007
【図６】
2014043083.tif 000008
【図７】
2014043083.tif 000009